(57)【要約】      （修正有）【課題】売上集計の作業効率を向上させることが可能な自動販売機を提供する。【解決手段】多数の商品収納ラックを備えた自動販売機において、商品収納ラックに収納する商品の商品コードをコラム毎に設定する第１の設定部と、第１の設定部に設定された同一商品コードとともに売上データを集計する第１の集計モード記憶部と、同一商品を同一商品グループとして設定する第２の設定部と、第２の設定部により設定された同一商品グループ毎に売上データを集計する第２の集計モード記憶部と、１または複数の商品収納ラックを同一コラムとして設定する第３の設定部と、第３の設定部により設定された同一コラム毎に売上データを集計する第３の集計モード記憶部と、を備え、第１から第３の集計モード記憶部の中からひとつの集計モードを選択する選択部と、選択したモード記憶部の売上データを出力するとともに、携帯型の記憶媒体に転送する制御部とを備える。【選択図】図１
2014178924.tif 000002
【特許請求の範囲】
【請求項１】
多数の商品収納ラックを備えた自動販売機において、少なくとも、商品収納ラックに収納する商品の商品コードをコラム毎に設定する第１の設定部と、該第１の設定部に設定された同一商品コードとともに売上データを集計する第１の集計モード記憶部と、同一商品を同一商品グループとして設定する第２の設定部と、該第２の設定部により設定された当該同一商品グループ毎に売上データを集計する第２の集計モード記憶部と、１または複数の商品収納ラックを同一コラムとして設定する第３の設定部と、該第３の設定部により設定された当該同一コラム毎に売上データを集計する第３の集計モード記憶部と、を備え、前記第１から第３の集計モード記憶部の中からひとつの集計モードを選択する選択部と、該選択部により前記集計モード記憶部を選択し、選択したモード記憶部に記憶されている売上データを出力するとともに、売上データを携帯型の記憶媒体に転送する制御部とを備えたこと特徴とする自動販売機。
【発明の詳細な説明】
【技術分野】
【０００１】
本発明は、多数の商品収納ラックを有し、この商品収納ラックに収納された商品の売上集計が可能な自動販売機に関する。
【背景技術】
【０００２】
従来、自動販売機においては、商品の売上集計に関し、１つのコラムを、商品価格、ホット商品、コールド商品、ビンの大きさなどの複数の類別グループに設定できるようにした構成が知られている（特許文献１参照）。
【先行技術文献】
【特許文献】
【０００３】
【特許文献１】特公平６−５８６９８号公報
【発明の概要】
【発明が解決しようとする課題】
【０００４】
ところで、上記自動販売機は、１つのコラムをどの売上集計グループに属させるかをコラム毎に設定する必要があり、コラム数が増えてきている現在の自動販売機にとっては、作業効率が悪いという問題があった。
【０００５】
また、自動販売機全体の売上を集計する際には、やはり、全商品をグループ化する必要があり、この点についても、コラム毎に設定する方式では、誤設定を起しやすいという問題があった。
【０００６】
本発明は、上記問題に鑑みて、多数の商品収納ラック搭載時に、売上集計の作業効率を向上させることが可能な自動販売機を提供することを目的とする。
【課題を解決するための手段】
【０００７】
上記の目的を達成するために、本発明によれば、多数の商品収納ラックを備えた自動販売機において、少なくとも、商品収納ラックに収納する商品の商品コードをコラム毎に設定する第１の設定部と、該第１の設定部に設定された同一商品コードとともに売上データを集計する第１の集計モード記憶部と、同一商品を同一商品グループとして設定する第２の設定部と、該第２の設定部により設定された当該同一商品グループ毎に売上データを集計する第２の集計モード記憶部と、１または複数の商品収納ラックを同一コラムとして設定する第３の設定部と、該第３の設定部により設定された当該同一コラム毎に売上データを集計する第３の集計モード記憶部と、を備え、前記第１から第３の集計モード記憶部の中からひとつの集計モードを選択する選択部と、該選択部により前記集計モード記憶部を選択し、選択したモード記憶部に記憶されている売上データを出力するとともに、売上データを携帯型の記憶媒体に転送する制御部とを備えていること特徴とする。
【発明の効果】
【０００８】
本発明は、多数の商品収納ラックを備えた自動販売機において、商品コード、同一商品グループ、コラム数設定にて予め売上集計グループを設定し、この設定された売上集計グループからひとつのグループを選択することで簡単に売上集計が可能となるため、商品収納ラック数が多くなっても、商品の売上集計が容易となる。
【０００９】
また、携帯型の記憶媒体にそのまま集計データを転送し、別途、管理装置にて携帯型の記憶媒体の集計データを読み出して売上を集計することにより、自動販売機にて行う作業が少なくなるため、集計作業が簡単になり、コストダウンが図れる。
【図面の簡単な説明】
【００１０】
【図１】図１は、本発明の実施の形態である自動販売機の正面図である。
【図２】図２は、本発明の実施の形態である自動販売機の扉開放状態を示す斜視図である。
【図３】図３は、本発明の実施の形態である図１に示した自動販売機の制御系を模式的に示すブロック図である。
【図４】図４は、本発明の実施の形態であるＲＡＭ２０ｂに記憶される第１の集計モードの構成図である。
【図５】図５は、本発明の実施の形態であるＲＡＭ２０ｂに記憶される第２の集計モードの構成図である。
【図６】図６は、本発明の実施の形態であるＲＡＭ２０ｂに記憶される第３の集計モードの構成図である。
【発明を実施するための形態】
【００１１】
以下に添付図面を参照して、本発明に係る自動販売機の好適な実施の形態を詳細に説明する。なお、この実施の形態によりこの発明が限定されるものではない。
【００１２】
図１は実施の形態である自動販売機の正面図、図２は内部構造を示す斜視図、図３は自動販売機の制御系を模式的に示すブロック図であり、順に説明する。
【００１３】
ここで例示する自動販売機は、缶入り飲料やペットボトル入り飲料等の商品を販売するためのもので、本体キャビネット１を備えている。
【００１４】
本体キャビネット１は、前面が開口した直方状の断熱筐体として形成されたものである。この本体キャビネット１の内部には、複数の独立した商品収容庫２ａ，２ｂ，２ｃが左右に並設してある。これら商品収容庫２ａ，２ｂ，２ｃは、缶入り飲料やペットボトル入り飲料等の商品を所望の温度に維持した状態で収容するためのものである。各商品収容庫２ａ，２ｂ，２ｃには、それぞれの上方部に、商品収納ラック３が配設してある。
【００１５】
一方、搬出シュータ４によって区画される下方部に、熱交換器（図示せず）が配設してある。
【００１６】
コラムは同一種類の商品が収容される収容単位であり、販売する商品に応じて１または複数の商品収納ラック３が対応している。
【００１７】
上記自動販売機には、本体キャビネット１の一側縁部に扉体５を設けてある。扉体５は、本体キャビネット１の前面開口を開閉するためのもので、内扉５ａ、ディスプレイ扉５ｂ及び外扉５ｃを備えて構成してある。内扉５ａは、本体キャビネット１に設けた商品収容庫２ａ，２ｂ，２ｃの前面を覆うに十分な大きさを有したものである。図示の例では、内扉５ａを上下に分割し、それぞれを個別に開閉できるようにしてある。
【００１８】
ディスプレイ扉５ｂは、内扉５ａの前面側に配設したものである。このディスプレイ扉５ｂには、その前面側上部に販売商品の商品見本Ｓを左右に並べて上下方向に複数段に並べて配設してある。
【００１９】
外扉５ｃは、本体キャビネット１の前面開口を覆うに十分な大きさを有したものである。この外扉５ｃには、その前面側にディスプレイ室６、商品選択ボタン７、硬貨投入口８、紙幣挿入口９、デジタル表示器１０、硬貨返却口１１、商品取出口１２、返却レバー１３、外扉５ｃのロック機構１４が配設してある。
【００２０】
一方、外扉５ｃの後面側には、硬貨識別装置１５、硬貨回収箱１６、紙幣識別装置１７、メインコントローラボックス１８が配設してある。
【００２１】
ディスプレイ室６は、ディスプレイ扉５ｂに配置した商品見本Ｓを利用者に視認させるために透明板にて覆われている。
【００２２】
商品選択ボタン７は、利用者が購入商品を選択するための押ボタンスイッチであり、ディスプレイ室６を通じて視認される商品見本Ｓ毎に用意してあり、図示しない販売可能ランプ、売切ランプを備えている。
【００２３】
硬貨投入口８は、利用者が硬貨を投入するための開口であり、この硬貨投入口８を通じて投入された硬貨は、硬貨識別装置１５においてその金種が識別され、その後、硬貨回収箱１６に収容されることになる。
【００２４】
紙幣挿入口９は、利用者が紙幣を挿入するための開口であり、この紙幣挿入口９を通じて挿入された紙幣は、紙幣識別装置１７においてその金種が識別されることになる。また上記紙幣挿入口９は、紙幣識別装置１７において識別できなかった紙幣を返却するための機能を有している。
【００２５】
デジタル表示器１０は、貨幣の投入金額、販売中であるか否か、釣銭があるか否か等、各種情報を利用者に表示するためのものであり、４桁の表示部からなる。
【００２６】
硬貨返却口１１は、硬貨識別装置１５において識別できなかった硬貨、釣銭となる硬貨、あるいは返却レバー１３が操作された際に硬貨を利用者に返却するための開口である。
【００２７】
商品取出口１２は、商品収納ラック３から払い出された商品を利用者が受け取るための開口である。
【００２８】
メインコントローラボックス１８は、外扉５ｃの後面側でかつデジタル表示器１０の近傍に設けられ、メインコントローラボックス１８の内部に自動販売機の自販機主制御部を備えている（図３参照）。
【００２９】
なお、図２には図示しないが、携帯型の記憶媒体から自動販売機へ、自動販売機から携帯型の記憶媒体へデータ書き込むためのＵＳＢ（Ｕｎｉｖｅｒｓａｌ Ｓｅｒｉａｌ Ｂｕｓ）メモリ５０の挿入口であるＵＳＢコネクタ４０および各種操作スイッチ３０などもメインコントローラボックス１８の外面に配設してある（図３参照）。
【００３０】
次に、図３の本発明の実施の形態である自動販売機の制御系を模式的に示すブロック図を示すものであり、自動販売機１のメインコントロールボックス１８（自販機主制御部２０）と、携帯型の記憶媒体の一例としてのＵＳＢメモリ５０、管理装置６０とからなる。
【００３１】
自販機主制御部２０は、制御プログラムを格納する電気的に書き換え可能なフラッシュメモリ２０ａ、設定／集計データなどを格納するＲＡＭ２０ｂを備え、自動販売機の基本動作、例えば商品選択、金銭処理、商品搬出および設定集計機能等の各動作の統括的な制御を行うものである。
【００３２】
自販機主制御部２０には、商品の搬出装置２１及び冷熱装置２２などを制御する本体制御部２３、硬貨投入口８から投入された硬貨を識別する硬貨識別装置１５、紙幣挿入口９から挿入された紙幣を識別する紙幣識別装置１７、商品選択ボタン７、各種情報表示を行うデジタル表示器１０、メインコントロールボックス１８に設けられた複数の操作スイッチ３０、ＵＳＢコネクタ４０が電気的に接続されている。
【００３３】
ＵＳＢメモリ５０は、設定データの書込み、自動販売機の売上データを収集するものである。
【００３４】
管理装置６０は、例えばパソコン（ＰＣ）のようなものであり、営業所などに配備され、専用ツール上で所定のプログラム等に関する情報を生成したり、ＵＳＢメモリ５０から各自動販売機の売上データを読み出し、売上データを集計したりするためのものである。
【００３５】
この構成において、各集計モードを設定するための処理について説明する。
【００３６】
まず、操作スイッチ３０を操作し、第１の集計モード設定として、図４の第１の集計モードの構成図に示すように、操作スイッチ３０を操作してコラムと商品コードとの関係を入力し、商品コード毎の売上データを集計するグループを設定して、ＲＡＭ２０ｂに記憶させる。
【００３７】
次に、操作スイッチ３０を操作し、第２の集計モード設定として、図５の第２の集計モードの構成図に示すように、操作スイッチ３０を操作して１〜５５の商品収納ラックを「１３（Ｇ１〜Ｇ１３）」のグループに分け、同一商品グループとするコラム番号を入力し、同一商品を収納しているコラムを同じグループに設定して、ＲＡＭ２０ｂに記憶させる。
【００３８】
次に、操作スイッチ３０を操作し、第３の集計モード設定として、操作スイッチ３０を操作して同一の商品を収納している１または複数の商品収納ラックを同一コラムとなるように、商品収納ラックの数を入力することにより、図６の第３の集計モードの構成図に示すように、左上の商品収納ラックから同一商品を収納している商品収納ラックを同一コラムとして集計するように同一コラムグループに設定して、ＲＡＭ２０ｂに記憶させる。
【００３９】
このように、この実施の形態においては、３種類の集計モードを設定しておくものであり、各集計モードにおいても、コラムと商品収納ラックとの組合せを、複数パターンを用意しておくことも可能である。
【００４０】
この結果、オペレータは、コラム設定時にコラム番号と商品収納ラック３との対応関係を設定するとともに、売上集計時のどの集計モードを用いるかを選択することで、集計時に複雑な作業を要することなく、所望の売上集計グループにて商品の売上集計が可能となる。
【００４１】
次に、商品の販売処理について説明すると、硬貨投入口８から所定の硬貨が投入され、商品選択ボタン７が押されると自販機主制御部２０は、本体制御部２３に信号を送信し、本体制御部２３は所定の搬出装置２１を駆動して、商品取出口１２に選択された商品を搬出する。
【００４２】
この搬出された商品は、ＲＡＭ２０ｂの記憶領域に加算される。
【００４３】
このように、商品の販売毎に売上としてＲＡＭ２０ｂの所定の記憶領域に加算されるものである。
【００４４】
一方、売上集計確認時においては、操作スイッチ３０を操作して売上集計の収集モードとし、例えば、第１の集計モードの場合には、ＵＳＢメモリ５０をＵＳＢコネクタ４０に挿入してＲＡＭ２０ｂから自動販売機の売上データを収集する。
【００４５】
その後、営業所に持ち帰り、管理装置６０に売上データが記憶されたＵＳＢメモリ５０を挿入して商品コードを利用した売上集計をする。
【００４６】
また、第２，３の集計モードの場合には、デジタル表示器１０に順に表示させるか、あるいは図示しないプリンタなどに、同一商品グループあるいは同一コラム毎に売上を印字するようにする。
【００４７】
このように、第１の集計モードの場合には、ＵＳＢメモリ５０で自動販売機の売上データをそのまま収集するため、商品収納ラックの数が増大しても関係なく、売上データを収集できる。
【００４８】
また、第２，３の集計モードの場合には、予め設定した同一商品グループあるいは同一コラム毎に売上集計グループとなり、商品収納ラック数増大に対し、グルーピングが容易に可能となり、しかも、顧客、設置場所に応じて集計モードも選択できるため、商品収納ラック数が多くても、オペレータの負担を低減できる。
【００４９】
さらに、第２，３の集計モードに関しても、ＵＳＢメモリ５０で収集できるようにしてもよい。
【００５０】
なお、本実施の形態において、メインコントロールボックス１８に設けた操作スイッチ３０を操作することにより、集計モードの設定、売上データの集計を行うようにしたが、操作キーを備えたリモコンを設け、該リモコンにて集計モードの設定、売上データの集計を行うようにしてもよい。
【００５１】
また、携帯型の記憶媒体としてＵＳＢメモリ５０を使用したが、持ち運び可能な携帯型であればよく、エスディーメモリカードなど記憶媒体、あるいは記憶媒体を備える携帯端末など、持ち運び可能な携帯型の記憶媒体であればよい。
【符号の説明】
【００５２】
１      本体キャビネット
５ｃ    外扉
７      商品選択ボタン
１０    デジタル表示器
１８    メインコントロールボックス
２０    自販機主制御部
２０ａ  フラッシュメモリ
２０ｂ  ＲＡＭ
３０    操作スイッチ
４０    ＵＳＢコネクタ
５０    ＵＳＢメモリ
６０    管理装置
【図１】
2014178924.tif 000003
【図２】
2014178924.tif 000004
【図３】
2014178924.tif 000005
【図４】
2014178924.tif 000006
【図５】
2014178924.tif 000007
【図６】
2014178924.tif 000008